【手続補正書】
【提出日】令和1年7月24日(2019.7.24)
【手続補正１】
【補正対象書類名】特許請求の範囲
【補正対象項目名】全文
【補正方法】変更
【補正の内容】
【特許請求の範囲】
【請求項１】
時分割複信（ＴＤＤ）フレーム構造に関連する一連のサブフレームのために通信媒体へのアクセスを求めて競合することと、
前記一連のサブフレームの第１の部分中に前記通信媒体上で送信することと、
前記一連のサブフレームの第２の部分中に前記通信媒体上で送信することを控えることと、
前記一連のサブフレームの前記第２の部分と前記一連のサブフレームの第３の部分との間の再競合ギャップを作成するために、前記一連のサブフレームの前記第２の部分のタイミングアドバンスを構成することと、
前記再競合ギャップ中に、前記一連のサブフレームの前記第３の部分のために前記通信媒体へのアクセスを求めて再競合することと、
前記一連のサブフレームの前記第３の部分中に前記通信媒体上で送信することと
を備える、通信方法。
【請求項２】
前記構成することが、前記一連のサブフレームの前記第２の部分のアップリンクサブフレームのスケジュールされた開始時間より前にアップリンク送信を開始するようにアクセス端末に命令するタイミングアドバンスコマンドを、前記アクセス端末に送ることを備える、請求項１に記載の方法。
【請求項３】
前記タイミングアドバンスコマンドが、前記一連のサブフレームの前記第１の部分のサブフレームを短縮するように前記アクセス端末にさらに命令する、請求項２に記載の方法。
【請求項４】
前記短縮されたサブフレームが、前記アップリンクサブフレームに先行するスペシャルサブフレームである、請求項３に記載の方法。
【請求項５】
前記スペシャルサブフレームが、前記アップリンクサブフレームと比較して１つまたは複数のシンボル期間だけ短縮される、請求項４に記載の方法。
【請求項６】
前記スペシャルサブフレームが、前記アップリンクサブフレームと比較して１つのシンボル期間から３つのシンボル期間の間だけ短縮される、請求項５に記載の方法。
【請求項７】
前記一連のサブフレームのために前記通信媒体を予約するために、第１のチャネル予約メッセージを送信することをさらに備える、請求項１に記載の方法。
【請求項８】
前記一連のサブフレームの前記第３の部分のために前記通信媒体をさらに予約するために、第２のチャネル予約メッセージを送信することをさらに備える、請求項７に記載の方法。
【請求項９】
時分割複信（ＴＤＤ）フレーム構造に関連する一連のサブフレームのために通信媒体へのアクセスを求めて競合するための手段と、
前記一連のサブフレームの第１の部分中に前記通信媒体上で送信するための手段と、
前記一連のサブフレームの第２の部分中に前記通信媒体上で送信することを控えるための手段と、
前記一連のサブフレームの前記第２の部分と前記一連のサブフレームの第３の部分との間の再競合ギャップを作成するために、前記一連のサブフレームの前記第２の部分のタイミングアドバンスを構成するための手段と、
前記再競合ギャップ中に、前記一連のサブフレームの前記第３の部分のために前記通信媒体へのアクセスを求めて再競合するための手段と、
前記一連のサブフレームの前記第３の部分中に前記通信媒体上で送信するための手段と
を備える、通信装置。
【請求項１０】
構成するための前記手段が、前記一連のサブフレームの前記第２の部分のアップリンクサブフレームのスケジュールされた開始時間より前にアップリンク送信を開始するようにアクセス端末に命令するタイミングアドバンスコマンドを、前記アクセス端末に送るための手段を備える、請求項９に記載の装置。
【請求項１１】
前記タイミングアドバンスコマンドが、前記一連のサブフレームの前記第１の部分のサブフレームを短縮するように前記アクセス端末にさらに命令する、請求項１０に記載の装置。
【請求項１２】
前記短縮されたサブフレームが、前記アップリンクサブフレームに先行するスペシャルサブフレームであり、
前記スペシャルサブフレームが、前記アップリンクサブフレームと比較して１つまたは複数のシンボル期間だけ短縮される、請求項１１に記載の装置。
【請求項１３】
前記スペシャルサブフレームが、前記アップリンクサブフレームと比較して１つのシンボル期間から３つのシンボル期間の間だけ短縮される、請求項１２に記載の装置。
【請求項１４】
前記一連のサブフレームのために前記通信媒体を予約するために、第１のチャネル予約メッセージを送信するための手段と、
前記一連のサブフレームの前記第３の部分のために前記通信媒体をさらに予約するために、第２のチャネル予約メッセージを送信するための手段と
をさらに備える、請求項９に記載の装置。
【請求項１５】
請求項１乃至８のいずれか一項に記載の方法の全てのステップを実施するようにコンピュータ実行可能であるプログラム命令を備える、コンピュータプログラム。
【手続補正２】
【補正対象書類名】明細書
【補正対象項目名】０１０２
【補正方法】変更
【補正の内容】
【０１０２】
[00119]上記の開示は、様々な例示的な態様を示しているが、添付の特許請求の範囲によって定義される範囲から逸脱することなく、様々な変更および修正が、示された例に対して行われ得ることに留意されたい。本開示は、具体的に示された例のみに限定されるものではない。たとえば、別段に記載されていない限り、本明細書で説明された本開示の態様による方法クレームの機能、ステップおよび／またはアクションは、特定の順序で実施されなくてもよい。さらに、いくつかの態様は、単数形で説明または請求されていることがあるが、単数形への限定が明示的に述べられていない限り、複数形が企図される。
以下に本願の出願当初の特許請求の範囲に記載された発明を付記する。
［Ｃ１］
時分割複信（ＴＤＤ）フレーム構造に関連する一連のサブフレームのために通信媒体へのアクセスを求めて競合することと、
前記一連のサブフレームの第１の部分中に前記通信媒体上で送信することと、
前記一連のサブフレームの第２の部分中に前記通信媒体上で送信することを控えることと、
前記一連のサブフレームの前記第２の部分と前記一連のサブフレームの第３の部分との間の再競合ギャップを作成するために、前記一連のサブフレームの前記第２の部分のタイミングアドバンスを構成することと、
前記再競合ギャップ中に、前記一連のサブフレームの前記第３の部分のために前記通信媒体へのアクセスを求めて再競合することと、
前記一連のサブフレームの前記第３の部分中に前記通信媒体上で送信することと
を備える、通信方法。
［Ｃ２］
前記構成することが、前記一連のサブフレームの前記第２の部分のアップリンクサブフレームのスケジュールされた開始時間より前にアップリンク送信を開始するようにアクセス端末に命令するタイミングアドバンスコマンドを、前記アクセス端末に送ることを備える、Ｃ１に記載の方法。
［Ｃ３］
前記タイミングアドバンスコマンドが、前記一連のサブフレームの前記第１の部分のサブフレームを短縮するように前記アクセス端末にさらに命令する、Ｃ２に記載の方法。
［Ｃ４］
前記短縮されたサブフレームが、前記アップリンクサブフレームに先行するスペシャルサブフレームである、Ｃ３に記載の方法。
［Ｃ５］
前記スペシャルサブフレームが、前記アップリンクサブフレームと比較して１つまたは複数のシンボル期間だけ短縮される、Ｃ４に記載の方法。
［Ｃ６］
前記スペシャルサブフレームが、前記アップリンクサブフレームと比較して１つのシンボル期間から３つのシンボル期間の間だけ短縮される、Ｃ５に記載の方法。
［Ｃ７］
前記一連のサブフレームのために前記通信媒体を予約するために、第１のチャネル予約メッセージを送信することをさらに備える、Ｃ１に記載の方法。
［Ｃ８］
前記一連のサブフレームの前記第３の部分のために前記通信媒体をさらに予約するために、第２のチャネル予約メッセージを送信することをさらに備える、Ｃ７に記載の方法。
［Ｃ９］
少なくとも１つのプロセッサと、
前記少なくとも１つのプロセッサに結合された少なくとも１つのメモリと、前記少なくとも１つのプロセッサおよび前記少なくとも１つのメモリが、時分割複信（ＴＤＤ）フレーム構造に関連する一連のサブフレームのために通信媒体へのアクセスを求めて競合するように構成された、
前記一連のサブフレームの第１の部分中に前記通信媒体上で送信することと、前記一連のサブフレームの第２の部分中に前記通信媒体上で送信することを控えることとを行うように構成された、少なくとも１つのトランシーバと
を備え、
ここにおいて、前記少なくとも１つのプロセッサおよび前記少なくとも１つのメモリが、前記一連のサブフレームの前記第２の部分と前記一連のサブフレームの第３の部分との間の再競合ギャップを作成するために、前記一連のサブフレームの前記第２の部分のタイミングアドバンスを構成することと、前記再競合ギャップ中に、前記一連のサブフレームの前記第３の部分のために前記通信媒体へのアクセスを求めて再競合することとを行うようにさらに構成され、
ここにおいて、前記少なくとも１つのトランシーバが、前記一連のサブフレームの前記第３の部分中に前記通信媒体上で送信するようにさらに構成された、
通信装置。
［Ｃ１０］
前記少なくとも１つのトランシーバが、前記一連のサブフレームの前記第２の部分のアップリンクサブフレームのスケジュールされた開始時間より前にアップリンク送信を開始するようにアクセス端末に命令するタイミングアドバンスコマンドを、前記アクセス端末に送るようにさらに構成された、Ｃ９に記載の装置。
［Ｃ１１］
前記タイミングアドバンスコマンドが、前記一連のサブフレームの前記第１の部分のサブフレームを短縮するように前記アクセス端末にさらに命令する、Ｃ１０に記載の装置。
［Ｃ１２］
前記短縮されたサブフレームが、前記アップリンクサブフレームに先行するスペシャルサブフレームである、Ｃ１１に記載の装置。
［Ｃ１３］
前記スペシャルサブフレームが、前記アップリンクサブフレームと比較して１つまたは複数のシンボル期間だけ短縮される、Ｃ１２に記載の装置。
［Ｃ１４］
前記スペシャルサブフレームが、前記アップリンクサブフレームと比較して１つのシンボル期間から３つのシンボル期間の間だけ短縮される、Ｃ１３に記載の装置。
［Ｃ１５］
前記少なくとも１つのトランシーバが、前記一連のサブフレームのために前記通信媒体を予約するために、第１のチャネル予約メッセージを送信するようにさらに構成された、Ｃ９に記載の装置。
［Ｃ１６］
前記少なくとも１つのトランシーバが、前記一連のサブフレームの前記第３の部分のために前記通信媒体をさらに予約するために、第２のチャネル予約メッセージを送信するようにさらに構成された、Ｃ１５に記載の装置。
［Ｃ１７］
時分割複信（ＴＤＤ）フレーム構造に関連する一連のサブフレームのために通信媒体へのアクセスを求めて競合するための手段と、
前記一連のサブフレームの第１の部分中に前記通信媒体上で送信するための手段と、  前記一連のサブフレームの第２の部分中に前記通信媒体上で送信することを控えるための手段と、
前記一連のサブフレームの前記第２の部分と前記一連のサブフレームの第３の部分との間の再競合ギャップを作成するために、前記一連のサブフレームの前記第２の部分のタイミングアドバンスを構成するための手段と、
前記再競合ギャップ中に、前記一連のサブフレームの前記第３の部分のために前記通信媒体へのアクセスを求めて再競合するための手段と、
前記一連のサブフレームの前記第３の部分中に前記通信媒体上で送信するための手段と
を備える、通信装置。
［Ｃ１８］
構成するための前記手段が、前記一連のサブフレームの前記第２の部分のアップリンクサブフレームのスケジュールされた開始時間より前にアップリンク送信を開始するようにアクセス端末に命令するタイミングアドバンスコマンドを、前記アクセス端末に送るための手段を備える、Ｃ１７に記載の装置。
［Ｃ１９］
前記タイミングアドバンスコマンドが、前記一連のサブフレームの前記第１の部分のサブフレームを短縮するように前記アクセス端末にさらに命令する、Ｃ１８に記載の装置。
［Ｃ２０］
前記短縮されたサブフレームが、前記アップリンクサブフレームに先行するスペシャルサブフレームである、Ｃ１９に記載の装置。
［Ｃ２１］
前記スペシャルサブフレームが、前記アップリンクサブフレームと比較して１つまたは複数のシンボル期間だけ短縮される、Ｃ２０に記載の装置。
［Ｃ２２］
前記スペシャルサブフレームが、前記アップリンクサブフレームと比較して１つのシンボル期間から３つのシンボル期間の間だけ短縮される、Ｃ２１に記載の装置。
［Ｃ２３］
前記一連のサブフレームのために前記通信媒体を予約するために、第１のチャネル予約メッセージを送信するための手段と、
前記一連のサブフレームの前記第３の部分のために前記通信媒体をさらに予約するために、第２のチャネル予約メッセージを送信するための手段と
をさらに備える、Ｃ１７に記載の装置。
［Ｃ２４］
プロセッサによって実行されたとき、前記プロセッサに通信のための動作を実施させるコードを備える非一時的コンピュータ可読媒体であって、前記非一時的コンピュータ可読媒体が、
時分割複信（ＴＤＤ）フレーム構造に関連する一連のサブフレームのために通信媒体へのアクセスを求めて競合するためのコードと、
前記一連のサブフレームの第１の部分中に前記通信媒体上で送信するためのコードと、  前記一連のサブフレームの第２の部分中に前記通信媒体上で送信することを控えるためのコードと、
前記一連のサブフレームの前記第２の部分と前記一連のサブフレームの第３の部分との間の再競合ギャップを作成するために、前記一連のサブフレームの前記第２の部分のタイミングアドバンスを構成するためのコードと、
前記再競合ギャップ中に、前記一連のサブフレームの前記第３の部分のために前記通信媒体へのアクセスを求めて再競合するためのコードと、
前記一連のサブフレームの前記第３の部分中に前記通信媒体上で送信するためのコードと
を備える、非一時的コンピュータ可読媒体。
［Ｃ２５］
構成するための前記コードが、前記一連のサブフレームの前記第２の部分のアップリンクサブフレームのスケジュールされた開始時間より前にアップリンク送信を開始するようにアクセス端末に命令するタイミングアドバンスコマンドを、前記アクセス端末に送るためのコードを備える、Ｃ２４に記載の非一時的コンピュータ可読媒体。
［Ｃ２６］
前記タイミングアドバンスコマンドが、前記一連のサブフレームの前記第１の部分のサブフレームを短縮するように前記アクセス端末にさらに命令する、Ｃ２５に記載の非一時的コンピュータ可読媒体。
［Ｃ２７］
前記短縮されたサブフレームが、前記アップリンクサブフレームに先行するスペシャルサブフレームである、Ｃ２６に記載の非一時的コンピュータ可読媒体。
［Ｃ２８］
前記スペシャルサブフレームが、前記アップリンクサブフレームと比較して１つまたは複数のシンボル期間だけ短縮される、Ｃ２７に記載の非一時的コンピュータ可読媒体。
［Ｃ２９］
前記スペシャルサブフレームが、前記アップリンクサブフレームと比較して１つのシンボル期間から３つのシンボル期間の間だけ短縮される、Ｃ２８に記載の非一時的コンピュータ可読媒体。
［Ｃ３０］
前記一連のサブフレームのために前記通信媒体を予約するために、第１のチャネル予約メッセージを送信するためのコードと、
前記一連のサブフレームの前記第３の部分のために前記通信媒体をさらに予約するために、第２のチャネル予約メッセージを送信するためのコードと
をさらに備える、Ｃ２４に記載の非一時的コンピュータ可読媒体。